【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
無線通信を行う通信部と、
使用するチャネルの帯域幅及び中心周波数のうち少なくともいずれかが異なる複数の端末装置それぞれとの通信のためのリソースを割り当てる制御部と、
を備え、
前記制御部は、
前記リソースを割り当てる領域のうち、前記複数の端末装置それぞれの前記チャネル間で重複する第１の領域に、当該複数の端末装置に対して共通に送信される第１の制御チャネル及び端末装置それぞれに対して個別に送信される第３の制御チャネルを割り当て、
前記第１の領域とは異なる第２の領域に、当該複数の端末装置それぞれに対して個別に送信される第２の制御チャネルを割り当て、
前記第１の領域を含む第１の帯域の帯域幅と、前記第２の領域を含む第２の帯域の帯域幅とは異なり、
前記第１の制御チャネルまたは第３の制御チャネルにより端末装置に対し、第１の帯域から第２の帯域へ切り替えることを指示する、
通信装置。
【請求項２】
前記第１の領域は、ＭＩＢに含まれる情報に基づいて設定され、
前記第１の領域は、専用ＲＲＣメッセージに基づいて設定される、
請求項１に記載の通信装置。
【請求項３】
前記第１の領域は、前記複数の端末装置それぞれの前記チャネル間において、周波数及び時間が重複する領域である、請求項１または２に記載の通信装置。
【請求項４】
前記第２の領域は、前記複数の端末装置それぞれの前記チャネルに対して前記リソースを割り当てる領域のうち、前記第１の領域を除く領域である、請求項１〜３のいずれか一項に記載の通信装置。
【請求項５】
前記第２の領域は、前記第１の領域と、周波数方向及び時間方向のうち少なくともいずれかの位置が異なる領域である、請求項４に記載の通信装置。
【請求項６】
前記制御部は、
前記第１の制御チャネルが関連付けられた一連の第１の論理制御チャネルエレメントを前記第１の領域に割り当てることで、当該第１の制御チャネルを当該第１の領域に割り当て、
前記第２の制御チャネルが関連付けられた一連の第２の論理制御チャネルエレメントを前記第２の領域に割り当てることで、当該第２の制御チャネルを当該第２の領域に割り当てる、
請求項１〜５のいずれか一項に記載の通信装置。
【請求項７】
前記一連の第１の論理制御チャネルエレメントは、所定のキャリアの中心周波数を基点として、周波数軸に沿って当該中心周波数から離間するように順次割り当てられる、請求項６に記載の通信装置。
【請求項８】
前記一連の第１の論理制御チャネルエレメントは、前記第１の領域の中心周波数を基点として、周波数軸に沿って当該中心周波数から離間するように順次割り当てられる、請求項６に記載の通信装置。
【請求項９】
前記第１の論理制御チャネルエレメント及び前記第２の論理制御チャネルエレメントの割り当てに関する情報を、前記端末装置に通知する通知部を備える、請求項６〜８のいずれか一項に記載の通信装置。
【請求項１０】
前記制御部は、
前記第１の制御チャネルを、前記第１の領域中の少なくとも一部に直接割当て、
前記第２の制御チャネルを、前記第２の領域中の少なくとも一部に直接割当てる、
請求項１〜５のいずれか一項に記載の通信装置。
【請求項１１】
前記第１の領域は、端末装置が、所定の基準信号を検出する際に得られる情報、所定の報知情報を復号する際に得られる情報、または初期接続の際に得られる情報に基づき設定される、請求項１〜１０のいずれか一項に記載の通信装置。
【請求項１２】
前記第１の領域は、前記複数の端末装置間で共通に受信される所定の基準信号が配置される周波数帯域に設定される、請求項１〜１０のいずれか一項に記載の通信装置。
【請求項１３】
前記第２の領域は、前記端末装置ごと、または前記端末装置のグループごとに個別に設定される、請求項１〜１２のいずれか一項に記載の通信装置。
【請求項１４】
前記第２の領域には、前記端末装置ごと、または前記端末装置のグループごとに固有のサーチスペースが配置される、請求項１３に記載の通信装置。
【請求項１５】
前記制御部は、前記第２の制御チャネルに関する情報が、前記第１の制御チャネルを介して前記端末装置に送信されるように制御する、請求項１〜１４のいずれか一項に記載の通信装置。
【請求項１６】
無線通信を行う通信部と、
基地局と、使用するチャネルの帯域幅及び中心周波数のうち少なくともいずれかが異なる複数の端末装置それぞれと、の間の通信のために割り当てられたリソースに関する情報を、前記基地局から取得する取得部と、
を備え、
前記複数の端末装置に対して共通に送信される第１の制御チャネル及び端末装置それぞれに対して個別に送信される第３の制御チャネルは、前記リソースが割り当てられる領域のうち、当該複数の端末装置それぞれの前記チャネル間で重複する第１の領域に割り当てられ、
当該複数の端末装置それぞれに対して個別に送信される第２の制御チャネルは、前記第１の領域とは異なる第２の領域に割り当てられ、
前記第１の領域を含む第１の帯域の帯域幅と、前記第２の領域を含む第２の帯域の帯域幅とは異なり、
前記取得部は、前記第１の制御チャネルまたは第３の制御チャネルによる、第１の帯域から第２の帯域へ切り替える指示を取得する、
通信装置。
【請求項１７】
前記取得部は、所定の基準信号の検出結果に基づき、前記リソースに関する情報を取得する、請求項１６に記載の通信装置。
【請求項１８】
前記取得部は、信号が送信されていないサブキャリアの検出結果に基づき、前記リソースに関する情報を取得する、請求項１６に記載の通信装置。
【請求項１９】
前記取得部は、前記第１の制御チャネルを介して、前記第２の制御チャネルに関する情報を取得する、請求項１６〜１８のいずれか一項に記載の通信装置。
【請求項２０】
無線通信を行うことと、
コンピュータが、使用するチャネルの帯域幅及び中心周波数のうち少なくともいずれかが異なる複数の端末装置それぞれとの通信のためのリソースを割り当てることと、
を含み、
前記リソースを割り当てる領域のうち、前記複数の端末装置それぞれの前記チャネル間で重複する第１の領域に、当該複数の端末装置に対して共通に送信される第１の制御チャネル及び端末装置それぞれに対して個別に送信される第３の制御チャネルが割り当てられ、
前記第１の領域とは異なる第２の領域に、当該複数の端末装置それぞれに対して個別に送信される第２の制御チャネルを割り当てられ、
前記第１の領域を含む第１の帯域の帯域幅と、前記第２の領域を含む第２の帯域の帯域幅とは異なり、
前記第１の制御チャネルまたは第３の制御チャネルにより端末装置に対し、第１の帯域から第２の帯域へ切り替えることを指示する、
通信方法。
【請求項２１】
無線通信を行うことと、
コンピュータが、基地局と、使用するチャネルの帯域幅及び中心周波数のうち少なくともいずれかが異なる複数の端末装置それぞれと、の間の通信のために割り当てられたリソースに関する情報を、前記基地局から取得することと、
を含み、
前記複数の端末装置に対して共通に送信される第１の制御チャネル及び端末装置それぞれに対して個別に送信される第３の制御チャネルは、前記リソースが割り当てられる領域のうち、当該複数の端末装置それぞれの前記チャネル間で重複する第１の領域に割り当てられ、
当該複数の端末装置それぞれに対して個別に送信される第２の制御チャネルは、前記第１の領域とは異なる第２の領域に割り当てられ、
前記第１の領域を含む第１の帯域の帯域幅と、前記第２の領域を含む第２の帯域の帯域幅とは異なり、
前記第１の制御チャネルまたは第３の制御チャネルによる、第１の帯域から第２の帯域へ切り替える指示を取得すること、を含む、
通信方法。
【請求項２２】
コンピュータに、
無線通信を行うことと、
使用するチャネルの帯域幅及び中心周波数のうち少なくともいずれかが異なる複数の端末装置それぞれとの通信のためのリソースを割り当てることと、
を実行させ、
前記リソースを割り当てる領域のうち、前記複数の端末装置それぞれの前記チャネル間で重複する第１の領域に、当該複数の端末装置に対して共通に送信される第１の制御チャネル及び端末装置それぞれに対して個別に送信される第３の制御チャネルが割り当てられ、
前記第１の領域とは異なる第２の領域に、当該複数の端末装置それぞれに対して個別に送信される第２の制御チャネルを割り当てられ、
前記第１の領域を含む第１の帯域の帯域幅と、前記第２の領域を含む第２の帯域の帯域幅とは異なり、
前記第１の制御チャネルまたは第３の制御チャネルにより端末装置に対し、第１の帯域から第２の帯域へ切り替えることを指示する、
プログラム。
【請求項２３】
コンピュータに、
無線通信を行うことと、
基地局と、使用するチャネルの帯域幅及び中心周波数のうち少なくともいずれかが異なる複数の端末装置それぞれと、の間の通信のために割り当てられたリソースに関する情報を、前記基地局から取得することと、
を実行させ、
前記複数の端末装置に対して共通に送信される第１の制御チャネル及び端末装置それぞれに対して個別に送信される第３の制御チャネルは、前記リソースが割り当てられる領域のうち、当該複数の端末装置それぞれの前記チャネル間で重複する第１の領域に割り当てられ、
当該複数の端末装置それぞれに対して個別に送信される第２の制御チャネルは、前記第１の領域とは異なる第２の領域に割り当てられ、
前記第１の領域を含む第１の帯域の帯域幅と、前記第２の領域を含む第２の帯域の帯域幅とは異なり、
前記第１の制御チャネルまたは第３の制御チャネルによる、第１の帯域から第２の帯域へ切り替える指示を取得すること、をコンピュータに実行させる、
プログラム。